(57)【要約】【課題】  ロッドの丸洗いを可能とする。【解決手段】  ヒータ２７を内蔵したロッド２１を制御ボックスから延設した延長電線に接続し、制御ボックスの電気制御によりヒータ２７を発熱可能な電気整髪処理装置において、ロッド２１は、延長電線に順次直線状に着脱自在に複数連接され、延長電線に結合端子を設け、ロッド２１の両端部に、ヒータ２７に接続されたロッド電線６７，８９を延設し、各ロッド２１の各ロッド電線６７，８９の端部に、結合端子と被結合端子とを分けて設け、ロッド電線６７，８９を内包すると共に各端部がロッド２１に防水結合された可撓性の防水チューブをそれぞれ設け、延長電線の結合端子にロッド２１の被結合端子を着脱自在に結合すると共に、各ロッド２１間で結合端子及び被結合端子を着脱自在に結合することを特徴とする。【選択図】  図３
2005137442.tif 000002
【特許請求の範囲】
【請求項１】
ヒータを内蔵した頭髪用のロッドを制御ボックスから延設した延長電線に接続し、前記制御ボックスの電気制御により前記ヒータを発熱可能な電気整髪処理装置において、
前記延長電線に結合端子を設け、
前記ロッドの端部に、前記ヒータに接続された防水構造のロッド電線を設け、
前記ロッド電線の先端部に、前記結合端子に結合される防水構造の被結合端子を設け、
前記延長電線の結合端子に前記ロッドの被結合端子を着脱自在に結合することを特徴とする電気整髪処理装置。
【請求項２】
ヒータを内蔵した頭髪用のロッドを制御ボックスから延設した延長電線に接続し、前記制御ボックスの電気制御により前記ヒータを発熱可能な電気整髪処理装置において、
前記ロッドは、前記延長電線に順次直線状に着脱自在に複数連接され、
前記延長電線に結合端子を設け、
前記ロッドの両端部に、前記ヒータに接続された防水構造のロッド電線を設け、
前記各ロッドの各ロッド電線の端部に、前記防水構造の結合端子と被結合端子とを分けて設け、
前記延長電線の結合端子に前記ロッドの被結合端子を着脱自在に結合すると共に、各ロッド間で前記結合端子及び被結合端子を着脱自在に結合することを特徴とする電気整髪処理装置。
【請求項３】
ヒータを内蔵した頭髪用のロッドを制御ボックスから延設した延長電線に接続し、前記制御ボックスの電気制御により前記ヒータを発熱可能な電気整髪処理装置において、
前記延長電線に結合端子を設け、
前記ロッドの端部に、前記ヒータに接続されたロッド電線を設け、
前記ロッド電線の先端部に、前記結合端子に結合される被結合端子を設け、
前記ロッド電線は、ロッド電線本体及び該ロッド電線本体を内包すると共に端部が前記ロッドに防水結合された可撓性の防水チューブを備え、
前記延長電線の結合端子に前記ロッドの被結合端子を着脱自在に結合することを特徴とする電気整髪処理装置。
【請求項４】
ヒータを内蔵した頭髪用のロッドを制御ボックスから延設した延長電線に接続し、前記制御ボックスの電気制御により前記ヒータを発熱可能な電気整髪処理装置において、
前記ロッドは、前記延長電線に順次直線状に着脱自在に複数連接され、
前記延長電線に結合端子を設け、
前記ロッドの両端部に、前記ヒータに接続されたロッド電線を設け、
前記各ロッドの各ロッド電線の端部に、前記結合端子と被結合端子とを分けて設け、
前記各ロッド電線は、ロッド電線本体及び該ロッド電線本体を内包すると共に各端部が前記ロッドに防水結合された可撓性の防水チューブをそれぞれ備え、
前記延長電線の結合端子に前記ロッドの被結合端子を着脱自在に結合すると共に、各ロッド間で前記結合端子及び被結合端子を着脱自在に結合することを特徴とする電気整髪処理装置。
【発明の詳細な説明】
【技術分野】
【０００１】
本発明は、毛髪をカールする際等に用いられる電気整髪処理装置に関する。
【背景技術】
【０００２】
従来の電気整髪処理装置としては、例えば図９，図１０に示すヘアウェーブ装置がある。このヘアウェーブ装置は、分電箱１０１からコード１０３を延線し、このコード１０３の他端にヘアカーラー１０５を着脱自在に接続したものである。ヘアカーラー１０５は、内部にセラミックヒータ１０７を備え、セラミックヒータ１０７の電気的な発熱によって、頭髪のカーリングを促進することができる。
【０００３】
このようなヘアカーラー１０５は、付着したパーマ用剤等を洗い落とす必要があるものの、ヘアカーラー１０５内に水が入ると内部が乾きにくく、次に使用するときに内部が電気的にショートする恐れがあり、ヘアカーラー１０５の丸洗いによる洗浄ができないのが実状であった。
【０００４】
【特許文献１】特開平９−２１５５１７
【発明の開示】
【発明が解決しようとする課題】
【０００５】
解決しようとする問題点は、ヘアカーラーの丸洗いができないと言う点である。
【課題を解決するための手段】
【０００６】
本発明の電気整髪処理装置は、頭髪用のロッドの端部に、前記ヒータに接続された防水構造のロッド電線を設け、前記ロッド電線の先端部に、前記結合端子に結合される防水構造の被結合端子を設け、前記延長電線の結合端子に前記ロッドの被結合端子を着脱自在に結合することを最も主要な特徴とする。
【発明の効果】
【０００７】
本発明の電気整髪処理装置は、作業後にパーマ用剤等が付着したロッドを丸洗いしても、ロッドの内部に洗浄液が入り込むことはない。従って、ロッドを直ちに使用してもロッド内部での電気的なショートを防止又は抑制することができ、迅速な作業を行わせることができる。
【０００８】
前記ロッドが、前記延長電線に順次直線状に着脱自在に複数連接され、前記延長電線に結合端子を設け、前記ロッドの両端部に、前記ヒータに接続された防水構造のロッド電線を設け、前記各ロッドの各ロッド電線の端部に、前記防水構造の結合端子と被結合端子とを分けて設け、前記延長電線の結合端子に前記ロッドの被結合端子を着脱自在に結合すると共に、各ロッド間で前記結合端子及び被結合端子を着脱自在に結合する場合は、複数のロッドで迅速な作業を行わせながら、各ロッドの丸洗いも容易である。
【０００９】
前記延長電線に結合端子を設け、前記ロッドの端部に、前記ヒータに接続されたロッド電線を設け、前記ロッド電線の先端部に、前記結合端子に結合される被結合端子を設け、前記ロッド電線は、ロッド電線本体及び該ロッド電線本体を内包すると共に端部が前記ロッドに防水結合された可撓性の防水チューブを備え、前記延長電線の結合端子に前記ロッドの被結合端子を着脱自在に結合する場合は、防水チューブの端部を潰すなどして閉鎖すれば、ロッド内部を防水することができ、パーマ用剤のかかったロッドを容易に丸洗いすることができる。  
前記ロッドは、前記延長電線に順次直線状に着脱自在に複数連接され、前記延長電線に結合端子を設け、前記ロッドの両端部に、前記ヒータに接続されたロッド電線を設け、前記各ロッドの各ロッド電線の端部に、前記結合端子と被結合端子とを分けて設け、前記各ロッド電線は、ロッド電線本体及び該ロッド電線本体を内包すると共に各端部が前記ロッドに防水結合された可撓性の防水チューブをそれぞれ備え、前記延長電線の結合端子に前記ロッドの被結合端子を着脱自在に結合すると共に、各ロッド間で前記結合端子及び被結合端子を着脱自在に結合する場合は、複数のロッドで迅速な作業を行わせながら、各ロッドの丸洗いも容易である。
【発明を実施するための最良の形態】
【００１０】
本発明の電気整髪処理装置は、ロッドに防水構造のロッド電線を設け、或いはロッド電線を内包する防水チューブを設けることによって実現した。
【実施例１】
【００１１】
図１は、本発明の実施例１に係る電気整髪処理装置を示す概念図である。図１のように、電気整髪処理装置１は、制御ボックス３と、ロッド群５，７とを備えている。
【００１２】
前記制御ボックス３は、複数の制御ボタン９と、液晶表示部１１と、ＬＥＤ表示部１３，１５、延長電線１７，１９などを備えている。
【００１３】
前記制御ボタン９は、連続設定、単発設定の選択、温度設定、送風設定等を行うものである。
【００１４】
前記液晶表示部１１には、設定温度の表示等が行われる。
【００１５】
前記ＬＥＤ表示１３，１５は、後述するロッドのヒータへの通電表示を行う。
【００１６】
前記延長電線１７，１９にはそれぞれ複数の頭髪用のロッド２１が順次直線状に着脱自在に連接され、ロッド群５，７を構成している。ロッド群５，７は、２組に限らず、１組、或いは３組以上にすることもできる。
【００１７】
図２は、前記電気整髪処理装置の概略ブロック図を示している。図２のように、前記制御ボックス３は、電源回路２３、制御回路２５を備えている。電源回路２３には、ヒータ２７、ファン２９が電気的に接続され、交流電流が給電されるようになっている。制御回路２５には、直流電流が給電されるようになっており、制御回路２５によって制御パネル３１等が制御されるようになっている。
【００１８】
前記ヒータ２７は、前記ロッド２１に内蔵され、ファン２９は前記制御ボックス３に内蔵されている。ファン２９は、頭髪調整風を発生させる送風手段を構成している。
【００１９】
前記制御ボックス３は、連続設定と単発設定との選択が可能であり、連続設定ではヒータ２７及び送風手段としてのファン２９を連続した複数の工程に応じて自動的に起動停止させるように設定し、単発設定では前記ヒータ及びファン２９を連続した複数の工程の各工程毎に起動停止させるように設定する。
【００２０】
前記ロッド２１は、図３，図４のようになっている。図３はロッドの概略図、図４はロッドの断面図である。図３，図４のように、ロッド２１は、熱伝導の良い材料、例えばセラミックで形成されている。ロッド２１には、コイル状に巻き回されたヒータ２７が内蔵されている。ヒータ２７はニクロム線等によって形成され、ロッド２１の外周部側に埋設配置されている。ロッド２１には、複数のトルマリン石３３が埋設されている。ロッド２１の軸心部には、連通路３５が貫通形成されている。連通路３５から放射方向に複数の分岐路３７が貫通形成されている。分岐路３７は、連通路３５の周りに所定間隔で複数本設けられ、これら複数本の組が連通路３５の軸心方向に沿って所定間隔で複数組設けられている。各分岐路３７の開口端は、空気吐出口３９となっている。なお、図３では、空気吐出口３９をその一部のみ示している。
【００２１】
前記ロッド２１の連通路３５内には、ロッド電線４１が貫通配置されている。ロッド電線４１に前記ヒータ２７が電気的に接続されている。従って、ロッド２１の両端部にヒータ２７に接続されたロッド電線を延設した構成となっている。
【００２２】
前記延長電線１７，１９に対し、前記ロッド２１の１つが接続部４３によって着脱自在に結合され、各ロッド２１間においても接続部４３によって着脱自在に結合されている。接続部４３の構造は、図５のようになっている。
【００２３】
前記接続部４３を延長電線１７とロッド２１との間において説明する。延長電線１７は、延長電線本体４５と、防水チューブ４７とからなっている。
【００２４】
前記延長電線本体４５は、端部に結合端子４９が設けられている。結合端子４９は、雄型のプラス端子５１と、雌型のマイナス端子５３とからなっている。プラス端子５１は、樹脂ヘッド５５から突出形成され、防水構造となっている。マイナス端子５３は、樹脂ヘッド５５に一体に形成された樹脂筒５７の内周面に形成され、防水構造となっている。
【００２５】
前記防水チューブ４７は、可撓性の樹脂で形成され、容易に撓むように構成されている。防水チューブ４７は、延長電線本体４５を内包すると共に、延長電線本体４５との間に空気通路５９を形成している。防水チューブ４７の一端部６１は、前記制御ボックス３側に一体的に結合されている。防水チューブ４７の他端部６３は、結合端子４９よりも若干長く形成されている。防水チューブ４７には結合端子４９側において支持部６５が設けられている。支持部６５は、周方向へ所定間隔で数カ所設けられ、空気通路５９を閉塞しないようになっている。支持部６５は、延長電線本体４５の樹脂ヘッド５５を支持している。
【００２６】
前記延長電線１７に対し、ロッド電線６７が着脱自在に結合される。ロッド電線６７は、前記ロッド電線本体４１と防水チューブ６９とを備えている。ロッド電線本体４１は、前記延長電線本体４５に結合可能な構造となっており、端部に被結合端子７１が設けられている。被結合端子７１は、プラス端子７３と、マイナス端子７５とからなっている。プラス端子７３は、樹脂筒７７の内面に形成され、マイナス端子７５は同外面に形成されている。樹脂筒７７は、ロッド電線本体４１の樹脂ヘッド７９から突設されている。
【００２７】
前記被結合端子７１が、結合端子４９に結合されると、樹脂筒７７が樹脂筒５７内に嵌合し、プラス端子５１がプラス端子７３内面に嵌合し、マイナス端子５３にマイナス端子７５が嵌合してそれぞれ接触状態となる。なお、結合端子４９及び被結合端子７１は、相互に結合離脱できれば良く、その構造は自由に設定することができる。
【００２８】
前記防水チューブ６９は、可撓性樹脂で形成され、容易に撓むようになっている。防水チューブ６９とロッド電線本体４１との間に、空気通路８１が設けられている。防水チューブ６９は、防水チューブ４７よりも細く形成され、防水チューブ４７の他端部６３内面に防水チューブ６９の他端部８５外面が隙間無く嵌合するように設定されている。この場合、他端部６３，８５の少なくとも一方をテーパ構造にすると良い。防水チューブ６９の端部である一端８３は、ロッド２１に防水結合されている。防水チューブ６９の他端８５は、ロッド電線本体４１よりも長く形成されている。防水チューブ６９にも前記防水チューブ４７の支持部６５と同様な構成の支持部８７が設けられ、ロッド電線本体４１の樹脂ヘッド７９を支持している。
【００２９】
前記各ロッド２１間における接続部４３も同一の構成となっている。すなわち、図５で示す延長電線１７の端部の構造が、ロッド２１の他端部のロッド電線８１の構造となる。従って、図５で示す延長電線本体４５は、ロッド電線８９において、ロッド電線本体となる。この構成によって、ロッド２１の両端部にヒータ２７に接続されたロッド電線を設けた構成となっている。
【００３０】
次に作用を説明する。
【００３１】
一般的に、頭髪にパーマネントウェーブをかける手順は次のようになっている。
【００３２】
頭髪に対して、パーマ用第１剤を塗布すると、チオグリコール酸やシスティンがシスチン結合を切断する。このときモノエタノールアミンなどのアルカリ剤によって頭髪はその膨潤、還元が促進されることになる。
【００３３】
次いで、ワインディングによってシスチン結合を変性させる。このときロッドに巻けばパーマネントウェーブを施すことができる。
【００３４】
次に、中間リンス後、パーマ用第２剤を塗布して酸化させ、シスチン結合を再結合させる。なお、パーマ用第２剤には、臭素酸塩や過酸化水素水などが用いられている。
【００３５】
ロッドへの頭髪の巻付けは、パーマ用第１剤を塗布する前にも行われる場合がある。
【００３６】
前記作業に際して、各ロッド２１が接続部４３において分離された離脱状態において、各ロッド２１を頭髪に巻き付ける。次いで、各接続部４３を接続して、図１のように各ロッド２１を延長電線１７，１９に結合し、ロッド群５，７等を形成する。次いで、適時制御ボタン９を操作し、ヒータ２７とファン２９とを適時起動停止させる。ヒータ２７の起動によって、各ロッド２１は発熱し、頭髪を加熱することができる。
【００３７】
前記ファン２９の稼働によっては、空気通路５９，８１を通って、ロッド２１の連通路３５内に送風が行われる。連通路３５からは、分岐路３７を介し空気吐出口３９から空気が吐出される。これによって、ロッド２１に巻き付けられた頭髪が、内側からの送風を受けることになる。
【００３８】
このようにヒータ２７による加熱と、ファン２９による頭髪調整風供給とにより、温風を頭髪に吹き付けることができる。従って、温風は頭髪の内側にのみ吹き付けられることになり、より良い整髪効果を得ることができる。またヒータ２７による加熱と、ファン２９による送風とにより、頭髪の加熱乾燥を迅速に行うことができ、整髪時間を大幅に短縮することができる。ヒータ２７を制御することによって、急速加熱、低速加熱も自由に設定することができる。
【００３９】
前記ロッド２１は、熱伝導の高いセラミック材等を使用しているため、ヒータ２７の熱が迅速に頭髪に伝わり、整髪をより促進することができる。ヒータ２７への通電は、ＬＥＤ表示１３，１５を確認することによって容易に確認することができる。ヒータ２７の温度、ファン２９の稼働等は、液晶表示部１１を見ることによって容易に確認することができる。
【００４０】
前記トルマリン石３３の存在によって、頭髪の還元作用を促進することができ、パーマ用剤の浸透性等をより向上させることができる。また、トルマリン石３３の存在によって消臭効果をも持たせることができる。
【００４１】
前記ロッド群５，７を設けているため、ロッド群５側は比較的高温の処理を行い、ロッド群７側は比較的低温の処理を行うといった処理により、整髪をより的確に行うことができる。
【００４２】
作業終了後、各ロッド２１を洗浄するに際しては、接続部４３を離脱させて各ロッド２１を分離する。この状態で、各ロッド２１のロッド電線６７の防水チューブ６９の端部８５、ロッド電線の防水チューブ４７の端部６３を輪ゴムあるいはクリップ等で閉止し、密閉構造とする。これによって、ロッド２１を洗剤その他で丸洗いすることができる。このような丸洗いによって、洗浄時にロッド２１内部に洗浄水等が入り込まず、的確な洗浄を行わせることができる。
【００４３】
ロッド２１内部に洗浄水等が入り込まないので、ロッド２１を常にクリアに保つことができ、的確な整髪を行わせることができる。洗浄後ロッド２１を直ちに使用してもショート等を招くことはない。
【００４４】
次に、前記制御ボックス３の連続設定、単発設定を図８のフローチャートを用いて説明する。
【００４５】
制御開始によりまず、ステップＳ１では、「初期設定」の処理が実行される。ここでは各種制御値のリセット等が行われ、ステップＳ２へ移行する。
【００４６】
ステップＳ２では、「処理選択」の処理が実行される。このステップＳ２では、作業を連続設定で行うか、単発設定で行うかの選択が行われる。この選択は、前記制御ボタン９によって行う。
【００４７】
ステップＳ３では、「連続か単発か」の判断処理が実行される。連続設定であると判断されたときには（ＹＥＳ）、ステップＳ４へ移行し、単発設定であると判断されたときには（ＮＯ）、ステップＳ５へ移行する。
【００４８】
ステップＳ４では、「連続設定」の処理が実行される。このステップＳ４では、連続設定を行わせるために、１０分間１００℃制御、２０分間８０℃制御、１０分間８０℃制御＋温風噴射の連続設定が行われ、ステップＳ６へ移行する。
【００４９】
ステップＳ６では、「動作開始」の処理が実行され、制御ボックス３によるヒータ２７、ファン２９の適時稼働制御が開始され、ステップＳ７へ移行する。
【００５０】
ステップＳ７では、「１０分間１００℃制御」の処理が実行され、まずヒータ２７が１０分間１００℃で稼働し、ステップＳ８へ移行する。
【００５１】
ステップＳ８では、「２０分間８０℃制御」の処理が実行され、ヒータ２７が２０分間８０℃で稼働され、ステップＳ９へ移行する。
【００５２】
ステップＳ９では、「１０分間８０℃制御と同時に温風噴射」の処理が実行され、ヒータ２７が１０分間８０℃で稼働されると共にファン２９が稼働され、ステップＳ１０へ移行する。
【００５３】
ステップＳ１０では、「動作停止」の処理が実行され、ヒータ２７、ファン２９の稼働が停止され、ステップＳ２へ戻り、一連の自動的な制御は完了する。
【００５４】
前記ステップＳ５では、「単発設定」の処理が実行される。このステップＳ５では、例えば１０分間１００℃制御の設定が行われ、ステップＳ１１へ移行する。
【００５５】
ステップＳ１１では、「動作開始」の処理が実行され、ヒータ２７が１０分間１００℃で稼働され、ステップＳ１２へ移行する。
【００５６】
ステップＳ１２では、「動作停止」の処理が実行され、ヒータ２７の稼働が停止され、ステップＳ１３へ移行する。
【００５７】
ステップＳ１３では、「単発設定」の処理が実行され、２０分間８０℃制御の設定が行われ、ステップＳ１４へ移行する。
【００５８】
ステップＳ１４では、「動作開始」の処理が実行され、ヒータ２７が２０分間８０℃で稼働され、ステップＳ１５へ移行する。
【００５９】
ステップＳ１５では、「動作停止」の処理が実行され、ヒータ２７の稼働が停止され、ステップＳ１６へ移行する。
【００６０】
ステップＳ１６では、「単発設定」の処理が実行され、１０分間８０℃制御、温風噴射の設定が行われ、ステップＳ１７へ移行する。
【００６１】
ステップＳ１７では、「動作開始」の処理が実行され、ヒータ２７が１０分間８０℃で稼働され、ファン２９が稼働されてステップＳ１８へ移行する。
【００６２】
ステップＳ１８では、「動作停止」の処理が実行され、ヒータ２７、ファン２９の稼働が停止されて処理は終了する。
【００６３】
従って、連続設定では、ステップＳ４で設定された１０分間１００℃制御、２０分間８０℃制御、１０分間８０℃制御＋温風噴射によって、ヒータ２７、ファン２９が一連の動作を連続的に自動的に行うことになり、作業に慣れた熟練者が連続設定を行うことによって、極めて迅速な作業を行うことができる。
【００６４】
また、作業に慣れていない作業者の場合には、ステップＳ５〜ステップＳ１８の単発設定を行うことによって、作業に不慣れであっても作業に余裕ができミスのない的確な作業を行わせることができる。
【００６５】
また、制御ボックス３の制御ボタン９の操作によって、これら連続設定は何工程でも設定することができる。単発設定も何回でも設定することができる。
【００６６】
尚、前記実施形態では、ロッド２１を直線状態で接続する構成にしたが、延長電線１７，１９に対して並列的に複数接続する構成にすることもできる。
【００６７】
前記ロッド電線６７，８９とこれを内包する防水チューブとの間を防水閉鎖構造としても同様な作用効果を奏することができる。
【００６８】
前記ロッド電線６７，８９は、防水チューブを設けることなくロッド電線本体のみの構成とし、該ロッド電線本体とロッド２１との間を防水閉鎖構造としても同様の効果を奏することができる。
【００６９】
前記ロッド２１は、頭髪を巻き付けることなどで整髪できれば良く、その名称は種種用いることができる。
【図面の簡単な説明】
【００７０】
【図１】電気整髪処理装置の概略図である（実施例１）。
【図２】電気整髪処理装置のブロック図である（実施例１）。
【図３】ロッドの概略図である（実施例１）。
【図４】ロッドの断面図である（実施例１）。
【図５】接続部の一部切欠き斜視図である（実施例１）。
【図６】延長電線の断面図である（実施例１）。
【図７】ロッド電線の断面図である（実施例１）。
【図８】フローチャートである（実施例１）。
【図９】ヘアウェーブ装置の斜視図である（従来例）。
【図１０】ヘアカーラーの一部を断面にした正面図である（従来例）。
【符号の説明】
【００７１】
１  電気整髪処理装置
３  制御ボックス
５，７  ロッド群
２１  ロッド
２７  ヒータ
２９  ファン（送風手段）
３３  トルマリン石
３９  空気吐出口
４１  ロッド電線本体
４３  接続部
４５  延長電線本体
４７，６９  防水チューブ
４９  結合端子
５９，８１  空気通路
６１  一端部
６３  他端部
６７，８９  ロッド電線
７１  被結合端子
８３  一端部
８５  他端部
【図１】
2005137442.tif 000003
【図２】
2005137442.tif 000004
【図３】
2005137442.tif 000005
【図４】
2005137442.tif 000006
【図５】
2005137442.tif 000007
【図６】
2005137442.tif 000008
【図７】
2005137442.tif 000009
【図８】
2005137442.tif 000010
【図９】
2005137442.tif 000011
【図１０】
2005137442.tif 000012